(57)【要約】【課題】抵抗体と尾輪の接地位置を、容易かつ安全に切替える事ができる管理機を提供する。【解決手段】耕耘作業部の後方に、地面に接地された状態で用いられる抵抗体および尾輪を備える耕耘補助部を配設した管理機において、前記耕耘作業部の後部に、前記耕耘補助部を前後方向に揺動自在な状態で軸支する軸支持部を設け、当該軸支持部に、前記耕耘補助部の固定位置を、抵抗体が接地する抵抗体接地位置と、尾輪が接地する尾輪接地位置とに揺動切替可能にする切替機構を設け、揺動する前記耕耘補助部の少なくとも一部を前記耕耘作業部を覆うカバー体の外方に突出させた。【選択図】図３
2007244346.tif 000002
【特許請求の範囲】
【請求項１】
耕耘作業部の後方に、地面に接地された状態で用いられる抵抗体および尾輪を備える耕耘補助部を配設した管理機において、
前記耕耘作業部の後部に、前記耕耘補助部を前後方向に揺動自在な状態で軸支する軸支持部を設けると共に、前記耕耘補助部を、抵抗体が接地する抵抗体接地位置と、尾輪が接地する尾輪接地位置とに切替可能に固定する切替機構を設け、
揺動する前記耕耘補助部の少なくとも一部を、前記耕耘作業部を覆うカバー体の外方に突出させたことを特徴とする管理機。
【請求項２】
耕耘作業部の後方に、地面に接地された状態で用いられる抵抗体および尾輪を備える耕耘補助部を配設した管理機において、
前記耕耘作業部の後部であって、当該耕耘作業部を覆うカバー体の外方に、前記耕耘補助部を前後方向に揺動自在な状態で軸支する軸支持部を設けると共に、前記耕耘補助部を、抵抗体が接地する抵抗体接地位置と、尾輪が接地する尾輪接地位置と、に切替可能に固定する切替機構を設けたことを特徴とする管理機。
【請求項３】
前記耕耘補助部は、カバー体の外側から内方に向けて管理機の斜め前方に伸延する棒状部材を備えると共に、当該棒状部材におけるカバー体内側位置に抵抗体と尾輪とを備えるものであり、
前記棒状部材の前方に抵抗体が設置され、棒状部材の後方に尾輪が設置されており、
前記耕耘補助部の尾輪設置位置は、前記抵抗体の一部が耕耘爪の回転領域に入り込む位置であることを特徴とする、請求項１又は請求項２記載の管理機。
【請求項４】
前記棒状部材は、前記抵抗体および尾輪が設置されている位置が棒状部材の伸延方向に進退移動可能な状態で、前記耕耘補助部に取り付けられていることを特徴とする、請求項１〜３のいずれか１項に記載の管理機。
【発明の詳細な説明】
【技術分野】
【０００１】
本発明は、管理機に関する。
【背景技術】
【０００２】
従来、管理機の一形態として、耕耘作業部後方に抵抗体と尾輪とを備えると共に、昇降自在な筒体の下部に傾斜軸を設け、同傾斜軸廻りで抵抗体と尾輪とを一体回転可能に支持してなる管理機がある（例えば、特許文献１参照）。
【０００３】
そして、傾斜軸は、抵抗体及び尾輪と共に耕耘作業部を覆うカバー体の内方に配置して、抵抗体と尾輪とを、小スペースにて切替え可能としている。
【特許文献１】特開２００４−８９０８４号公報
【発明の開示】
【発明が解決しようとする課題】
【０００４】
ところが、上記従来の管理機では、抵抗体と尾輪との切替え機構である傾斜軸が、カバー体内方に位置しているため、耕耘作業時に草などの異物が引掛かり易く、抵抗体と尾輪とを切替える際の抵抗となり不具合が生じていたし、切替え機構が、地面及び耕耘作業部近傍に位置することとなるため、切替え作業は煩雑であったし、又危険を伴っていたという問題が生じていた。
【課題を解決するための手段】
【０００５】
そこで、本発明では、耕耘作業部の後方に、地面に接地された状態で用いられる抵抗体および尾輪を備える耕耘補助部を配設した管理機において、前記耕耘作業部の後部に、前記耕耘補助部を前後方向に揺動自在な状態で軸支する軸支持部を設けると共に、前記耕耘補助部を、抵抗体が接地する抵抗体接地位置と、尾輪が接地する尾輪接地位置とに切替可能に固定する切替機構を設け、揺動する前記耕耘補助部の少なくとも一部を、前記耕耘作業部を覆うカバー体の外方に突出させたことを特徴とする管理機を提供するものである。
【０００６】
また、本発明は、以下の構成にも特徴を有する。
（１）前記耕耘作業部の後部であって、当該耕耘作業部を覆うカバー体の外方に、前記耕耘補助部を前後方向に揺動自在な状態で軸支する軸支持部を設けると共に、前記耕耘補助部を、抵抗体が接地する抵抗体接地位置と、尾輪が接地する尾輪接地位置と、に切替可能に固定する切替機構を設けたこと。
（２）前記耕耘補助部は、カバー体の外側から内方に向けて管理機の斜め前方に伸延する棒状部材を備えると共に、当該棒状部材におけるカバー体内側位置に抵抗体と尾輪とを備えるものであり、前記棒状部材の前方に抵抗体が設置され、棒状部材の後方に尾輪が設置されており、前記耕耘補助部の尾輪設置位置は、前記抵抗体の一部が耕耘爪の回転領域に入り込む位置であること。
（３）前記棒状部材は、前記抵抗体および尾輪が設置されている位置が棒状部材の伸延方向に進退移動可能な状態で、前記耕耘補助部に取り付けられていること。
【発明の効果】
【０００７】
請求項１記載の本発明では、耕耘作業部の後方に、地面に接地された状態で用いられる抵抗体および尾輪を備える耕耘補助部を配設した管理機において、前記耕耘作業部の後部に、前記耕耘補助部を前後方向に揺動自在な状態で軸支する軸支持部を設けると共に、前記耕耘補助部を、抵抗体が接地する抵抗体接地位置と、尾輪が接地する尾輪接地位置とに切替可能に固定する切替機構を設け、揺動する前記耕耘補助部の少なくとも一部を前記耕耘作業部を覆うカバー体の外方に突出させたことを特徴としたため、カバー体外方に突出する耕耘補助部の一部を揺動させることで抵抗体と尾輪とを切り替える事ができて、楽な姿勢で容易に切替作業を行なう事ができるし、耕耘作業部の上方にて切替操作を行なうことができるため、危険を伴うことなく安全な切替作業を行なう事ができる。
【０００８】
請求項２記載の本発明では、耕耘作業部の後方に、地面に接地された状態で用いられる抵抗体および尾輪を備える耕耘補助部を配設した管理機において、
前記耕耘作業部の後部であって、当該耕耘作業部を覆うカバー体の外方に、前記耕耘補助部を前後方向に揺動自在な状態で軸支する軸支持部を設けると共に、前記耕耘補助部を、抵抗体が接地する抵抗体接地位置と、尾輪が接地する尾輪接地位置と、に切替可能に固定する切替機構を設けたことを特徴としたため、耕耘作業の際、軸支持部に草などの異物が絡まるなどして抵抗体と尾輪との切替え作業を妨げられる事が無く、切替作業を容易に行なう事ができる。
【０００９】
請求項３記載の本発明では、前記耕耘補助部は、カバー体の外側から内方に向けて管理機の斜め前方に伸延する棒状部材を備えると共に、当該棒状部材におけるカバー体内側位置に抵抗体と尾輪とを備えるものであり、前記棒状部材の前方に抵抗体が設置され、棒状部材の後方に尾輪が設置されており、前記耕耘補助部の尾輪設置位置は、前記抵抗体の一部が耕耘爪の回転領域に入り込む位置であることを特徴としたため、カバー体は、抵抗体と尾輪の上方を覆い、耕耘作業中や、抵抗体と尾輪の切替え時などに、使用者に対して、土を不用意に飛散させることを防止して、使い勝手を向上させている。
【００１０】
請求項４記載の本発明では、前記棒状部材は、前記抵抗体および尾輪が設置されている位置が棒状部材の伸延方向に進退移動可能な状態で、前記耕耘補助部に取り付けられていることを特徴としたため、抵抗体及び尾輪を任意の高さに調整する事ができて、土壌の状態や植付け作物の種類に応じた好適な耕深にて作業を行なう事ができる。
【発明を実施するための最良の形態】
【００１１】
以下に、本発明の最良の実施形態を、図面を参照しながら説明する。
【００１２】
図１及び図２に示すＡは、本発明に係る管理機を示しており、同管理機Ａは、図１及び図２に示すように、側面視略へ字状に屈曲させて形成したミッションケース２の前方位置に原動機部３を配設するとともに、ミッションケース２の前側下部に走行部４を配設する一方、ミッションケース２の後側下部に耕耘作業部５を配設し、更には、管理機Ａの後部上方位置に操作部６を配設している。
【００１３】
以下に、管理機Ａの各部の構造について説明する。
〔ミッションケース〕
ミッションケース２は、図１及び図２に示すように、管理機Ａの下方に配設した走行部４と、耕耘作業部５との間に、側面視略へ字状に屈曲させた屈曲部10を備えて架設しており、同ミッションケース２は、屈曲部10から前低後高の傾斜状に伸延させた走行部側ケース構成体７と、屈曲部10から前高後低の傾斜状に伸延させた耕耘作業部側ケース構成体８とから構成している。
【００１４】
また、ミッションケース２の屈曲部10の前側上部には、左右幅方向に向けて伸延させた入力軸11をミッションケース２の左側方に向けて突出させた状態で回動自在に取付けており、原動機部からの動力でこの入力軸11を回動することにより、同ミッションケース２の内部に設けた変速機構を介して走行部４や耕耘作業部５に動力を伝えるようにしている。
〔原動機部〕
原動機部３は、ミッションケース２の前側下部に原動機載置台12を取付け、同原動機載置台12の上部に原動機13を載設し、同原動機13の上部に燃料タンク14を取付けて構成している。なお、図中、15はフロントウエイトを兼ねたバンパーである。
〔走行部〕
走行部４は、ミッションケース２の走行部側ケース構成体７の下端部近傍に、左右幅方向に向けて伸延させた車軸16を回動自在に取付け、同車軸16の左右端部に車輪17を取り付けて形成している。
〔耕耘作業部〕
耕耘作業部５は、ミッションケース２の後側下部に左右幅方向に向けて伸延させた耕耘軸18を回動自在に取付け、同耕耘軸18に半径方向に向けて伸延させた耕耘爪19を連動連結している。
【００１５】
また、ミッションケース２の耕耘作業部側ケース構成体８の中途部には、耕耘作業部５の上方に張り出すように、機体の後方へ向けてロータリーフレーム22を配設しており、同ロータリーフレーム22に、耕耘爪19の回動軌跡20の上方を覆うように耕耘カバー21を取付けると共に、同耕耘カバー21の後端部に、耕耘作業部５後方を覆う耕耘後ろカバー57を取り付けている。また、ロータリーフレーム22後部には、抵抗体29と尾輪30とを耕耘後ろカバー57内方に備えてなる耕耘補助部Ｈを、伸縮可能に取付けて構成している。図中、24は耕深調節バー23を支持するための支持ブラケットである。
〔操作部〕
操作部６は、ミッションケース２の中途部に平面視で略門型状のハンドル25を前低後高の傾斜状に取付け、同ハンドル25の上端部にデッドマンクラッチレバー26を配設するとともに、ハンドル25の前方に変速レバー27を前低後高の傾斜状に配設して構成している。
【００１６】
変速レバー27は、基端部をミッションケース２の右側方に望ませるとともに、おなじくミッションケース２の右側方に設けた変速リンク機構を介して、ミッションケース２内の変速機構を操作し変速可能としている。
【００１７】
〔本発明の要旨〕
上記のような構成において、本発明の要旨は、耕耘補助部Ｈの構成にあり、以下に、図１〜図６を参照しながら説明する。
【００１８】
すなわち、耕耘補助部Ｈは、図２〜図４に示すように、棒状に形成した伸縮機構である耕深調節バー23と、耕深調節バー23上端に回動自在に軸支された耕深調節ハンドル28と、耕深調節バー23の下端近傍に設けた抵抗体29及び尾輪30と、より構成し、機体の左右中心線Ｙ−Ｙ'上であって、前記耕耘作業部５の後部に設けた傾斜軸31に、切替機構32を介して前後方向に揺動可能に軸支している。
【００１９】
そして、切替機構32は、耕耘作業部５後方を覆うカバー体である、耕耘後ろカバー57の外方に配設すると共に、抵抗体29と、尾輪30とは、耕耘後ろカバー57の内方に配設するようにしている。
【００２０】
以下に、上記した〔耕深調節バー23〕と〔耕深調節ハンドル28〕と〔抵抗体29〕と〔尾輪30〕と〔傾斜軸31〕と〔切替機構32〕について、具体的に説明する。
〔耕深調節バー23〕
耕深調節バー23は、図1にも示すように、内方に図示しない雄ネジ部を有するネジ軸33を備えた支持筒体34と、内周面に図示しない螺旋溝を有する内筒体35と、を備える棒状部材であり、内筒体35を、支持筒体34内方に挿入してネジ軸33に螺着することによりこれらを一体に構成して伸縮自在となしている。
〔耕深調節ハンドル28〕
耕深調節ハンドル28は、耕深調節バー23のネジ軸33上端部に、水平方向に回動自在に軸支させた基部36と、基部36の端部に突設させた、基部36の回動を補助するハンドル部37とより構成している。図中、38は、基部36とネジ軸33とを固定するボルトである。
〔抵抗体29〕
抵抗体29は、棒状に形成して、内筒体35内方に挿入すると共に、内筒体35下端部に突設させてボルト39により固定している。
〔尾輪30〕
尾輪30は、内筒体35の下端部近傍の後面に設けられ後方に伸延する分岐杆40，40間に、ボルトナット41によって取り付けた、回転自在の車輪である。
【００２１】
ここで、耕深調節バー23，耕深調節ハンドル28，抵抗体29，及び尾輪30を、上記のように構成することとしたため、ハンドル部37を回転操作することで、ネジ軸33を回転させると共に、ネジ軸33の雄ネジ部に螺着するネジ溝を有する内筒体35を、抵抗体29及び尾輪30と共に昇降自在となしている。
【００２２】
なお、上記した耕深調節バー23は、上記のような昇降機構として構成したが、これに限られることは無く、抵抗体29及び尾輪30を昇降可能で、高低位置を任意に調節できる構成であればよい。
〔傾斜軸31〕
傾斜軸31は、ロータリーフレーム22の後端部に、前高後低の傾斜状に設けた筒状体であって、その中途部に、左右方向に進退自在に突出させた係止部42，42を設けると共に、下端部の左右方向に図示しない貫通孔を設けている。
〔切替機構32〕
切替機構32は、耕深調節バー23における支持筒体34前面に設けられ、前方向に並列して伸延させた支持ブラケット24，24と、前記傾斜軸31によって構成されており、支持ブラケット24は、略逆山型形状の薄板状に形成して、下端部に貫通孔43を、上端部の前後方向に並列する二つの嵌合孔44ａ，44ｂを有し、下端部の貫通孔43は、傾斜軸31下端の貫通孔と共に、ボルト46により軸支し、軸支持部55を形成している。
【００２３】
支持ブラケット24，24における嵌合孔44ａ，44ａ，44ｂ，44ｂのうち、対向する任意の一組の嵌合孔44に、傾斜軸31の係止部42，42を嵌入させて係止することにより、耕深調節バー23の立設角度を決定するようにしている。
【００２４】
図３に示すように、係止部42を、嵌合孔44ｂに係合させた場合、耕深調節バー23は、地表に対する傾斜角度を相対的に大にして、耕耘補助部Ｈにおいて抵抗体29が最下端に位置する、抵抗体接地位置に固定されるようにしている。
【００２５】
この状態は、正転方向であるダウンカットにより耕耘作業を行なう際に主に使用し、抵抗体29を土壌に突入させた状態に設定することで機体走行速度を調節してダッシングを防止したり、耕耘作業部５による耕耘深さを調節したりする事ができる。
【００２６】
他方、図４に示すように、係止部42を嵌合孔44ａに係合させた場合、耕深調節バー23は、地表に対する傾斜角度を相対的に小にして、耕耘補助部Ｈにおいて尾輪30が最下端に位置する、尾輪接地位置に固定されるようにしている。
【００２７】
この状態は、アップカットによる耕耘作業時や機体の移動時において使用し、作業時には抵抗体29が過剰な抵抗とならないように非接地位置に設定すると共に、尾輪を接地させて耕耘を補助させると共に、移動時には、車輪17と共に尾輪30を使用して容易に機体を移動させることができる。
【００２８】
上記切換機構32の構成は、耕深調節バー23の伸縮機構と併せて適当に調整することで、上記した効果を更に有効とする事ができる。
【００２９】
ここで、係止部42は、嵌合孔44と係合位置にある時、嵌合孔44に嵌入して支持ブラケット24を固定する突出位置と、支持ブラケット24に達せず、嵌合孔44と係合しない退避位置との間で進退自在に設けると共に、退避位置から突出位置に向かってバネ付勢させて、この係止部42を任意に進退させることによって、嵌合孔44に着脱自在な構成としている。
【００３０】
なお、支持ブラケット24と傾斜軸31との係合手段は上記のような構成に限られず、図示しないが、傾斜軸31にも支持ブラケット24の嵌合孔と連通する位置に貫通孔を設け、その連通孔にピン等の係止部材を嵌入させて支持ブラケット24と傾斜軸とを固定する構成としてもよい。
【００３１】
また、上記実施形態において、支持ブラケット24に設ける嵌合孔44は二つとしているが、これに限られず、複数個であればよく、耕深調節バー23の角度を段階的に切替可能であって、抵抗体29及び尾輪30の使用を切り替え可能とするものであればよい。
【００３２】
以下、他の実施形態における管理機について図面を参照しながら説明する。
【００３３】
なお、図５，図６に示す、他の実施形態における管理機において、図１に示す管理機Ａの構成要件と同様の構成要件には同一の符号を付することにより、その説明を省略する。
【００３４】
図５は、他の実施形態における管理機Ｂの耕耘補助部Ｈ１を示す説明図であって、図５に示すように、耕耘補助部Ｈ１は、ロータリーフレーム22の後端に設けた傾斜軸53に、支持部54を介して固着した耕深調節バー23の先端部後面に、支持基部47，47を、後方に伸延させて設けると共に、同支持基部47に、先端に尾輪48，48を備えてなる支持杆49の他端をボルト56により軸支して、尾輪48を揺動自在とし、これにより抵抗体29と尾輪48の使用を切替える構成としたものである。
【００３５】
支持基部47，47は、支持杆49を軸支するための図示しない軸孔と、端部に沿って形成した二つの嵌合孔50ａ，50ｂと、をそれぞれ有すると共に、支持杆49は、側面の略中途部に左右に進退可能に突出させた係止部51，51を備えている。
【００３６】
前記係止部51を、対向する任意の嵌合孔50に係合させることで尾輪48の高低位置を決定すると共に、係止部51を係合させる嵌合孔50を切り替えることにより、抵抗体29と尾輪48の使用を切り替えるようにしている。
【００３７】
係止部51を、嵌合孔50ａに係合した場合、尾輪48は、抵抗体29よりも上方に位置することとなって、ダウンカットの耕耘作業時において、耕耘作業を良好に補助する事ができるようにしている。
【００３８】
他方、係止部51を、嵌合孔50ｂに係合した場合、尾輪48は、抵抗体29よりも下方に位置することとなって、アップカットによる耕耘作業時や機体の移動時において、期待の移動をスムーズに行えるようにしている。
【００３９】
なお、嵌合孔50の切替機構は、上記のような構成に限られず、容易に切り替え可能な構成であればよい。
【００４０】
また、上記実施形態において、支持基部47に設ける嵌合孔50は二つとしているが、これに限られず、複数個であって、尾輪48の角度を段階的に切替えて、抵抗体及び尾輪の使用を切り替え可能であればよい。
【００４１】
図６は、更に他の実施形態における管理機Ｃの耕耘補助部Ｈ２を示す説明図であって、図６（ａ），（ｂ）に示すように、耕耘補助部Ｈ２は、耕深調節バー23の下端に、棒状体を略くの字形状に屈曲させて形成した抵抗体52を取り付けてなる耕耘補助部Ｈ２であって、抵抗体52を、このような形状とすることにより、図６（ａ）に示すように、ダウンカットの耕耘作業時に抵抗体52を土壌に突入させて使用する際には抵抗を増大させて、耕耘作業を良好に補助すると共に、アップカットの耕耘作業時や機体の移動時などには、図６（ｂ）に示すように、抵抗体52の地表の凹凸への引っ掛かりを軽減させて機体の移動をスムーズに行なえるようにしている。
【図面の簡単な説明】
【００４２】
【図１】本実施形態に係る管理機の側面図
【図２】本実施形態に係る管理機の平面図
【図３】本実施形態に係る管理機の耕耘補助部を示す説明図
【図４】本実施形態に係る管理機の耕耘補助部を示す説明図
【図５】他の実施形態に係る管理機の耕耘補助部を示す説明図
【図６】更に他の実施形態に係る管理機の耕耘補助部を示す説明図
【符号の説明】
【００４３】
Ａ  管理機
Ｈ  耕耘補助部
２  ミッションケース
３  原動機部
４  走行部
５  耕耘作業部
21  耕耘カバー
23  耕耘調節バー
24  支持ブラケット
28  耕耘調節ハンドル
29  抵抗体
30  尾輪
31  傾斜軸
32  切替機構
34  支持筒体
35  内筒体
44  嵌合孔
54  支持部
55  軸支持部
57  耕耘後ろカバー
【図１】
2007244346.tif 000003
【図２】
2007244346.tif 000004
【図３】
2007244346.tif 000005
【図４】
2007244346.tif 000006
【図５】
2007244346.tif 000007
【図６】
2007244346.tif 000008